(57)【特許請求の範囲】
【請求項１】
上部躯体から吊下げ支持された天井本体を有する天井構造において、
前記天井本体の周縁部は、壁と前記壁から突出する平面矩形状の柱または柱型に対向しており、
前記柱または前記柱型は、前記壁の表面と平行な前端表面と前記壁の表面と直交する側表面とを備え、
前記周縁部と前記壁の表面との間に、直線状の第一クリアランスが設けられ、
前記周縁部と前記柱または前記柱型の前記前端表面および前記側表面との間に、前記第一クリアランスよりも広い幅で平面コ字形状の第二クリアランスが設けられ、
前記天井本体は、上部躯体に設けられた吊材に支持された天井下地と、前記天井下地に支持された天井板と、前記壁の表面に沿って配置された通し材とを備えてなり、
前記天井下地は、前記壁の表面と交差する方向に沿って延在する複数の天井下地構成材を有し、
前記通し材は、複数の前記天井下地構成材の端部同士を連結するとともに、前記天井下地構成材の端部および天井板の周縁部よりも前記壁側に張り出している
ことを特徴とする天井構造。
【請求項２】
上部躯体から吊下げ支持された天井本体を有する天井構造において、
前記天井本体の周縁部と周囲の壁の表面との間には第一クリアランスが設けられるとともに、前記周縁部と柱または柱型の表面との間には前記第一クリアランスよりも広い幅の第二クリアランスが設けられており、
前記天井本体は、上部躯体に設けられた吊材に支持された天井下地と、前記天井下地に支持された天井板と、壁面に沿って配置された通し材とを備えてなり、
前記天井下地は、前記壁面と交差する方向に沿って延在する複数の天井下地構成材を有し、
前記通し材は、複数の前記天井下地構成材の端部同士を連結するとともに、前記天井下地構成材の端部および天井板の周縁部よりも前記壁側に張り出しており、
前記天井板の外側にはカーテンボックスが設けられており、
前記天井本体は、前記天井下地構成材から前記壁に向かって張り出す張出し部材をさらに備え、
前記張出し部材は、前記カーテンボックスの上方を通過して前記壁との間に前記第一クリアランスを設けている
ことを特徴とする天井構造。
【発明の詳細な説明】
【技術分野】
【０００１】
本発明は、天井構造に関する。
【背景技術】
【０００２】
従来の天井構造としては、天井板を支持する天井下地を吊ボルトで吊り下げたものが知られている（例えば特許文献１参照）。吊ボルトは、上階床スラブなどの支持構造物から垂設されており、その下端部に天井下地を構成する複数の天井下地構成材が接続されている。天井下地構成材は、直線状または格子状に組み付けられている。天井下地構成材を格子状が組み付けられている場合は、平行配置された複数の野縁受けの下側に複数の野縁を取り付ける。この野縁は、野縁受けに対して直角方向に延在している。
【先行技術文献】
【特許文献】
【０００３】
【特許文献１】特開２０１０−２５５３０８号公報
【発明の概要】
【発明が解決しようとする課題】
【０００４】
従来の天井構造では、地震等により天井に揺れが生じると、天井下地や天井板がその周囲の壁に衝突して破損してしまう虞があった。そのため、天井の耐震性能を高めるために、クリップなどの部材の強度を高め、ブレース等により揺れを抑え、壁と天井とのクリアランスを設けることが大切だと言われている。このうちクリアランスについては、吊長さやブレース等の条件により個々の天井の揺れ方が違うので、大規模な天井の場合には、必要なクリアランスについては個々に検討することが必要とされているが、小規模な天井の場合には特に検討されないことが多い。また、クリアランスの大きさが検討されたとしても現実的には２〜３ｃｍ程度であり、大地震や長周期地震動など建物固有周期も考慮に入れると不十分な場合が多い。一方、具体的な補強方法としては、大規模な天井の場合は、吊ボルトや天井下地にブレース材を接続し、揺れを少なくして壁との衝突を抑制しているが十分ではない。小規模な天井の場合は吊ボルトにブレースより軽微な斜め補強材や水平補強材を設置している場合もあるが十分とは言えない。特に、柱型がある場合は、天井本体が大きく揺れた際に壁に均一に衝突せず、柱型と天井本体が局所的に衝突するので破損しやすいという問題があった。もし、ブレース等により十分な耐震性能を有する補強を行うとすると、天井全体の重量化を招くとともに、施工が大変であるという問題があった。
【０００５】
以上のような観点から、本発明は、破損の抑制を達成できるとともに、軽量かつ施工容易な天井構造を提供することを課題とする。
【課題を解決するための手段】
【０００６】
前記課題を解決するための請求項１に係る発明は、上部躯体から吊下げ支持された天井本体を有する天井構造において、前記天井本体の周縁部は、壁と前記壁から突出する平面矩形状の柱または柱型に対向しており、前記柱または前記柱型は、前記壁の表面と平行な前端表面と前記壁の表面と直交する側表面とを備え、前記周縁部と前記壁の表面との間に、直線状の第一クリアランスが設けられ、前記周縁部と前記柱または前記柱型の前記前端表面および前記側表面との間に、前記第一クリアランスよりも広い幅で平面コ字形状の第二クリアランスが設けられ、前記天井本体は、上部躯体に設けられた吊材に支持された天井下地と、前記天井下地に支持された天井板と、前記壁の表面に沿って配置された通し材とを備えてなり、前記天井下地は、前記壁の表面と交差する方向に沿って延在する複数の天井下地構成材を有し、前記通し材は、複数の前記天井下地構成材の端部同士を連結するとともに、前記天井下地構成材の端部および天井板の周縁部よりも前記壁側に張り出していることを特徴とする天井構造である。
【０００７】
ここで、第二クリアランスとは、構造体である柱本体が露出している場合は、柱の表面と天井本体の周縁部（端面）との隙間を意味し、柱の周囲にパネルなどの仕上げ材が設けられて柱型が形成されている場合は、柱型の表面と天井本体の周縁部との隙間を意味する。
【０００８】
以上のような構成によれば、天井本体が揺れて、その周縁部が壁に当接した状態でも柱または柱型と局所的に接触しないので、柱周りでの天井本体の破損を防止できる。また、天井本体の周縁部が壁に当接しても広い面積で当接できるので、水平力を分散できる。したがって、天井本体の揺れをある程度許容できることとなり、ブレースの削減または省略を図ることができ、天井重量および施工手間の低減を達成できる。さらに、通し材を設けたことによって、第一クリアランスを一定幅にすることができる。
【００１０】
請求項２に係る発明は、上部躯体から吊下げ支持された天井本体を有する天井構造において、前記天井本体の周縁部と周囲の壁の表面との間には第一クリアランスが設けられるとともに、前記周縁部と柱または柱型の表面との間には前記第一クリアランスよりも広い幅の第二クリアランスが設けられており、前記天井本体は、上部躯体に設けられた吊材に支持された天井下地と、前記天井下地に支持された天井板と、壁面に沿って配置された通し材とを備えてなり、前記天井下地は、前記壁面と交差する方向に沿って延在する複数の天井下地構成材を有し、前記通し材は、複数の前記天井下地構成材の端部同士を連結するとともに、前記天井下地構成材の端部および天井板の周縁部よりも前記壁側に張り出しており、前記天井板の外側にはカーテンボックスが設けられており、前記天井本体は、前記天井下地構成材から前記壁に向かって張り出す張出し部材をさらに備え、前記張出し部材は、前記カーテンボックスの上方を通過して前記壁との間に前記第一クリアランスを設けていることを特徴とする天井構造である。このような構成によれば、天井本体の水平力を、カーテンボックスには作用させずに、張出し部材を介して直接壁に伝えることができる。
【発明の効果】
【００１１】
本発明に係る天井構造によれば、周縁部の破損の抑制を達成できるとともに、天井全体の軽量化および施工手間の低減を達成できる。
【図面の簡単な説明】
【００１２】
【図１】本発明の実施形態に係る天井構造を示した平面図である。
【図２】（ａ）は天井本体を示した斜視図、（ｂ）は天井本体の隅部を示した拡大斜視図である。
【図３】天井本体の野縁と通し材との取り合いを示した断面図である。
【図４】天井本体の野縁受けと通し材との取り合いを示した断面図である。
【図５】天井本体の野縁受けと張出し部材との取り合いを示した断面図である。
【図６】天井本体の野縁と張出し部材との取り合いを示した断面図である。
【発明を実施するための形態】
【００１３】
本発明の実施形態に係る天井構造について図面を参照しつつ説明する。本実施形態では、天井下地構成材が格子状に組み付けられた場合を例示する。なお、本実施形態においては、図２に示した直交する軸Ｘ，Ｙ，Ｚを基準にして説明する。
【００１４】
本実施形態に係る天井構造は、上部躯体から吊下げ支持された天井本体を有する。天井本体は、図２に示すように、複数の吊ボルト１（吊材）と、天井下地１０と、天井板２０（図３乃至図６参照）と、通し材３０と、を備えて構成されている。吊ボルト１は、上方の上階床スラブ（図示せず）などの下面から垂下し、Ｚ方向（上下方向）に延在している。吊ボルト１は長尺のボルト材にて構成されている。
【００１５】
天井下地１０は、複数の吊ボルト１によって支持されている。天井下地１０は、Ｘ軸方向（水平方向）に延在する第一の天井下地構成材としての野縁受け１１と、Ｙ軸方向に延在する第二の天井下地構成材としての野縁１２と、を備えてなる。野縁受け１１は、断面コ字形状を呈する鋼製のＣ型チャンネル材にて構成されている。野縁受け１１は、コ字の開口部分が横向きになるように配置され、吊ボルト１の下端部に設けられた吊り金具２によって吊ボルト１に係止されている。野縁１２は、断面Ｃ字形状を呈する鋼製のリップ付きＣ型チャンネル材にて構成されている。野縁１２は、Ｃ字の開口部分が上向きになるように配置され、クリップ型の取付金具３によって野縁受け１１に係止されている。
【００１６】
野縁受け１１および野縁１２は、それぞれ複数設けられており、格子状に組み付けられている。
【００１７】
天井板２０は、図３に示すように、野縁１２の下面にビス止めされている。複数の天井板２０で天井面が形成されており、天井面の周縁部（壁面５に隣接する天井面全体の周縁部）には、回り縁２１が設けられている。
【００１８】
通し材３０は、野縁受け１１の端部同士または野縁１２の端部同士を連結する部材であり、壁面５に沿って配置されている。通し材３０は、野縁受け１１の端部または野縁１２の端部よりも壁面５側に張り出している。
通し材３０は、接合板部３１と対向板部３２とを備えている。接合板部３１は、野縁１２の下面に当接するか、あるいは図４に示すように、野縁受け１１の上面に当接する。対向板部３２の内側面は、野縁受け１１または野縁１２の端面（小口面）に対向する。対向板部３２の外側面は、壁面５に対向する。通し材３０は、断面Ｌ字形状を呈する例えば鋼製のアングル材にて構成されている。通し材３０の断面Ｌ字の一方の面板が接合板部３１となり、他方の面板が対向板部３２となる。
【００１９】
通し材３０を野縁１２の端部に設ける場合には、図３に示すように、対向板部３２が接合板部３１の端から立ち上がるような向きにアングル材を配置する。接合板部３１は、野縁１２の下面に当接させ、下側からビス止めすることにより、野縁１２に固定する。対向板部３２の内側面は、野縁１２の端面と隙間をあけて配置するか、あるいは当接させた状態で配置する。野縁１２の下面には天井板２０を接合し、接合板部３１の下面に天井板２０および回り縁２１の上面を当接させる。対向板部３２の外側面は、回り縁２１の外周端面よりも壁面５側に突出している。
【００２０】
通し材３０を野縁受け１１の端部に設ける場合には、図４に示すように、対向板部３２が接合板部３１の端から垂れ下がるような向きにアングル材を配置する。接合板部３１は、野縁受け１１の上面に当接させ、上側からビス止めすることにより、野縁受け１１に固定する。対向板部３２の内側面は、野縁受け１１の端面と隙間をあけて配置する。対向板部３２の外側面は、回り縁２１の外周端面よりも壁面５側に突出している。
【００２１】
通し材３０は、壁面５の横幅寸法より僅かに短く、壁面５の両サイドに位置する直交壁面に干渉しない長さ寸法を有している。図２の（ｂ）に示すように、Ｙ軸方向に延在する通し材３０の長手方向端部は、野縁受け１１と平行な壁面（野縁１２の端面と対向する壁面）と僅かな隙間をあけて対向している。また、Ｘ軸方向に延在する通し材３０の長手方向端部は、野縁１２と平行な壁面（野縁受け１１の端面と対向する壁面）と僅かな隙間をあけて対向している。これによって、野縁受け１１の端部に設けられた通し材３０の端部と、野縁１２の端部に設けられた通し材３０の端部とが干渉することはない。
【００２２】
以上のように、天井本体の周縁部においては、通し材３０の対向板部３２が、最も外側に突出している。
図１に示すように、天井本体の周縁部と周囲の壁の表面（壁面５）との間には、一定幅のクリアランス（以下、「第一クリアランス」という）が設けられている。具体的には、天井本体の周縁部のうち、壁面５に対向する部分では、通し材３０の対向板部３２の外側面が壁面５に対して第一クリアランスをあけて配置されている。第一クリアランスは、部屋の全周に渡って、均一の幅寸法Ｌ１となっている。
【００２３】
一方、天井本体の周縁部と柱６との間には、第一クリアランスの幅寸法Ｌ１よりも広い幅（幅寸法Ｌ２）のクリアランス（以下、「第二クリアランス」という）が設けられている。なお、図１のように、鉄筋コンクリート造の打ち放し仕上げやクロス直貼り仕上げなど、柱が露出している場合は、柱の表面と天井本体の周縁部（端面）との隙間が第二クリアランスに相当し、柱の周囲にパネルなどの仕上げ材が設けられて柱型が形成されている場合は、柱型の表面と天井本体の周縁部との隙間が第二クリアランスに相当する。
【００２４】
柱６の周囲のうち、壁面５と平行な前端表面６ａに対向する部分には、繋ぎ材３５が前端表面６ａと平行に設けられている。繋ぎ材３５は、例えば金属製プレート材からなり、壁面５に直交する野縁１２または野縁受け１１に架け渡される部材である。なお、図１では、柱６の両側に位置する野縁１２，１２に架け渡されている。繋ぎ材３５は、その外側端が前端表面６ａと幅寸法Ｌ２をあけて配置されており、繋ぎ材３５と前端表面６ａとの間に、第二クリアランスが設けられている。
【００２５】
柱６の周囲のうち、壁面５と直交する側表面６ｂに対向する部分には、壁面５に直交する天井構成材（図１では野縁１２）が平行に配置されている。野縁１２は、側表面６ｂと幅寸法Ｌ２をあけて配置されており、野縁１２の側面と柱６の側表面６ｂとの間に、第二クリアランスが設けられている。なお、側表面６ｂに最も近く対向するのは、天井構成材に限定されるものではなく、通し材や繋ぎ材など、他に設けられる部材であってもよい。
【００２６】
図５および図６に示すように、天井板２０の周りにカーテンボックス４０が設けられている場合の天井本体は、天井下地構成材から壁面５に向かって張り出す張出し部材５０をさらに備える。カーテンボックス４０は、下方に向かって開口しており、開口部の幅方向両端には、外側に向かって延在する鍔部４１が形成されている。天井板２０の周縁部は、鍔部４１の上側に位置して端面が目隠しされている。また、張出し部材５０を除いた天井本体の周縁端面（野縁受け１１、野縁１２または天井板２０のいずれかの最も外側に位置する部材）は、隙間（第三クリアランス）をあけてカーテンボックス４０の側面４０ａと対向している。第三クリアランスの幅寸法Ｌ３は、第一クリアランスの幅寸法Ｌ１よりも大きくなっている。カーテンボックス４０を設ける場合は、カーテンボックス４０に対向する位置に通し材３０は設けなくてよい。カーテンボックス４０は、壁に取り付けられた取付ブラケット４５に固定されている。なお、カーテンボックス４０の固定構造は前記のものに限定されるものではない。
【００２７】
図５に示すように、張出し部材５０が野縁１２の長手方向に沿って延在する場合は、端部２つの野縁受け１１，１１上に水平材５５を掛け渡して、この水平材５５に垂直材５６と補強用斜材５７を接合して、張出し部材５０を支持している。張出し部材５０、水平材５５は、垂直材５６および補強用斜材５７は、断面コ字形状を呈する鋼製のＣ型チャンネル材にて構成されている。張出し部材５０と水平材５５と垂直材５６と補強用斜材５７は、同等の断面形状である。水平材５５は、野縁受け１１と野縁１２とを固定する汎用金具（図示せず）にて、野縁受け１１，１１に固定されている。
【００２８】
垂直材５６は、水平材５５の壁面５側の端部に取り付けられており、水平材５５から立ち上がっている。
張出し部材５０は、垂直材５６の上端部に取り付けられている。張出し部材５０は、垂直材５６から壁面５に向かって延在しており、その先端面と壁面５との間には第一クリアランスが設けられている。張出し部材５０は、カーテンボックス４０の長手方向に所定間隔をあけて複数個設けられている。張出し部材５０の先端部には、通し材３０が架け渡されている。通し材３０を設けた場合は、通し材３０の壁側端面を張出し部材５０の先端面とし、通し材３０の壁側端面と壁面５との間に第一クリアランスが設けられている。張出し部材５０は、垂直材５６よりも室内側（壁面５とは逆側）にも延在している。
補強用斜材５７は、張出し部材５０と水平材５５との間に傾斜して配置されている。補強用斜材５７は、下方が室内側に位置するように傾斜している。
【００２９】
水平材５５と張出し部材５０は、断面コ字状の開口部が同じ方向（図５中、奥側）を向き、背の部分が互いに同一面内になるように配置されている。垂直材５６と補強用斜材５７は、断面コ字状の開口部が同じ方向（図５中、手前側）を向き、背の部分が互いに同一面内になるように配置されている。水平材５５の背の部分は、垂直材５６および補強用斜材５７の下端部の背の部分と互いに接触するように配置されている。張出し部材５０の背の部分は、垂直材５６および補強用斜材５７の上端部の背の部分と互いに接触するように配置されている。そして、水平材５５（または張出し部材５０）と、垂直材５６（または補強用斜材５７）とは、背同士を当接させてビス（図示せず）止めすることで固定されている。ここで、張出し部材５０を垂直材５６よりも室内側に延在させたことで、張出し部材５０の背と補強用斜材５７の背とを接触させることができ、固定を容易にできるようになった。
【００３０】
図６に示すように、張出し部材５０が野縁受け１１の長手方向に沿って延在する場合は、水平材５５は設けずに、野縁受け１１に、垂直材５６と補強用斜材５７を直接固定する。垂直材５６と補強用斜材５７の背の部分を野縁受け１１の背の部分に接触させて、背同士をビス止めすることで、垂直材５６（または補強用斜材５７）と、野縁受け１１とが固定されている。
なお、その他の部分については、図５と同様の構成であるので、同じ符号を付して説明を省略する。
【００３１】
以上のような構成によれば、第一クリアランスが、第二クリアランスよりも小さい寸法であるので、地震時に天井本体が揺れた際に、天井本体は柱６や柱型には当接せずに、壁面５のみに当接する。天井本体は、柱６や柱型から局所的な力を受けないので、天井本体が破損し難くなる。すなわち、天井本体は、最初に壁に接触することで、柱または柱６と接触しないので、柱周りでの天井本体の破損を防止できる。また、天井本体は、周縁部の広い面積を介して壁面５に当接するので、水平力を壁面５に分散させて伝達できる。したがって、壁周りにおいて天井本体や壁の破損を抑制できる。
【００３２】
さらには、天井本体の揺動による水平力を壁面５で受けるようにしたことによって、天井本体の揺れをある程度許容できるので、吊ボルト１や野縁受け１１、野縁１２間に設けられるブレースの省略を図ることができる。これによって、地震時の周囲の構造物（柱、壁や上部床面）に層間変位が発生しても、天井本体も追従して変位する。したがって、天井本体が壁面５に対して強く衝突しないので、破損を抑制できる。
また、ブレースの省略によって、天井本体の軽量化および施工手間の低減を達成できる。なお、本実施形態では、ブレースを省略したものとしているが、場合によっては、部分的にブレースを設ける構造としてもよく、この場合でも、天井本体の軽量化および施工手間の低減を達成できる。
【００３３】
なお、部屋の面積が大きいときなど、天井本体の水平力が大きい場合は、壁面で大きい水平力を受けるために、壁面を通常の構造よりも補強する。壁面の補強は、例えばスタッドや木角材などの壁下地材の配置ピッチを細かくしたり、部材寸法を大きくしたり、壁仕上げ材を厚くしたりする。また、壁下地材の上端部と上部固定部（上階床スラブなどの構造体）との固定部分を補強してもよい。
【００３４】
また、野縁受け１１または野縁１２に通し材３０を取り付けたことで、容易な施工で第一クリアランスを一定幅にすることができる。さらに、対向板部３２で壁面５に当接するので、接触面積がより一層大きくなり、壁面５に作用する面圧を小さくすることができる。
【００３５】
天井板２０の外側にカーテンボックス４０が設けられた場合には、図５および図６に示すように第三クリアランスが第一クリアランスより大きい幅寸法となる構成にすることによって、天井本体は、カーテンボックス４０には当接せずに、張出し部材５０を介して壁面５に当接する。つまり、地震時の天井本体の水平力を、カーテンボックス４０には作用させずに、張出し部材５０を介して直接壁面５に伝えることができる。これによって、カーテンボックス４０が変形することはない。
【００３６】
以上、本発明を実施するための形態について説明したが、本発明は前記の実施形態に限定されず、本発明の趣旨を逸脱しない範囲で、材質、形状や大きさなど適宜設計変更が可能である。例えば、前記実施形態では、通し材３０を設けて、通し材３０と壁面５との間に第一クリアランスを設けたが、これに限定するものではない。通し材３０を設けずに、野縁受け１１、野縁１２または天井板２０などを天井本体の周縁部の最も外側に位置させて、これらの最外周の部材と壁面５との間を一定幅の第一クリアランスとしてもよい。なお、通し材３０を設けている方が、第一クリアランスを容易な施工で一定幅にできるので好ましい。
【００３７】
また、前記実施形態では、通し材３０は、断面Ｌ字のアングル材であるが、この形状に限定されるものではない。例えば、断面コ字状や平板状であっても、壁面に平行であって、壁面側に張り出していれば一定の作用効果は得られる。
【００３８】
また、野縁受け１１や野縁１２の形状や材質は、前記実施形態に限定されるものではなく、アルミニウム合金製やステンレス鋼製であってもよいし、木製であってもよい。木製の場合は角材となる。
【００３９】
さらに、前記実施形態では、野縁受け１１と野縁１２は壁面５に対して直交しているが、部屋の形状によっては、直交しない場合もある。この場合、通し材は壁面に沿って設けられていればよい。さらに、天井面が傾斜した斜め天井や、天井面が湾曲したＲ天井であっても、本発明を適用可能である。この場合、斜め天井またはＲ天井の外周縁部と、壁面との間に第一クリアランスを設ければよい。
また、天井板が設けられず、天井下地材（化粧フレーム）が露出するグリッド天井であっても、本発明を適用可能である。特に、空調設備やサインなどの重量物を天井に積載する場合は有効である。
【００４０】
さらに、前記実施形態では、カーテンボックス４０を設けた場合に、張出し部材５０を設けたが、これに限定されるものではない。カーテンボックス４０以外の障害物（例えば、壁際に連続するブリーズライン（ライン型空調吹出口）や防煙垂れ壁など）が設けられた場合にも、張出し部材５０を設けることで、本発明の作用効果を得ることができる。
【符号の説明】
【００４１】
１      吊ボルト（吊材）
５      壁面
６      柱
１０    天井下地
１１    野縁受け（天井下地構成材）
１２    野縁（天井下地構成材）
２０    天井板
３０    通し材
４０    カーテンボックス
【図１】
0005928711.tif 000002
【図２】
0005928711.tif 000003
【図３】
0005928711.tif 000004
【図４】
0005928711.tif 000005
【図５】
0005928711.tif 000006
【図６】
0005928711.tif 000007